(57)【特許請求の範囲】
【請求項１】
頂部シールを中心にして互いに向き合う傾斜パネルを有するゲーブルトップ型液体紙容器の一方の傾斜パネルに設けられる開口部構造であって、
一方の傾斜パネルには、切り込みを設けて形成された開口開始部と、その開口方向に設けた開口誘導手段とが形成され、開口開始部の表側には、開口方向に向けて引っ張りテープが熱融着され、開口開始部と開口誘導手段の裏側にはそれぞれ裏貼りフィルムが熱融着され、前記開口開始部と開口誘導手段とは離間させて設けられていることを特徴とする液体紙容器の開口部構造。
【請求項２】
前記開口開始部の開口開始点（先端）に口孔が穿設されていることを特徴とする請求項１に記載の液体紙容器の開口部構造。
【請求項３】
前記開口誘導手段は、連続した切り込み又はミシン目状の切り込みのいずれかであることを特徴とする請求項１又は２に記載の液体紙容器の開口部構造。
【請求項４】
前記開口誘導手段は、開口方向に向かって開くハの字状に形成させることを特徴とする請求項１〜３のいずれか１項に記載の液体紙容器の開口部構造。
【請求項５】
前記開口開始部と開口誘導手段の裏側に熱融着される裏貼りフィルムは、丸い形状のフィルムであることを特徴とする請求項１〜４のいずれか１項に記載の液体紙容器の開口部構造。
【発明の詳細な説明】
【０００１】
【発明の属する技術分野】
本発明は、ゲーブルトップ型液体紙容器の開口部構造に関するものであり、特に、粘性の高い液状物を一度に大量に注ぎだすことを可能にしたゲーブルトップ型液体紙容器の開口部構造に関する。
【０００２】
【従来の技術】
ゲーブルトップ型液体紙容器に入った高粘度の内容物を一度に大量に注ぎ出すような使い方を要求されることがある。
このような場合には、通常は頂部シールの下の傾斜パネルを開口すると大きな開口が得られる。このため、図３に示すように、傾斜パネルにＵ字状の切り込みを入れた開口開始部（１１）を形成させておき、そこから引っ張りテープを開口方向に引っ張り開口（１６）しているが、開口両側端縁が開封方向に対して内方に収束していく傾向にあり、先細りして一度に端まで開封することが少なく、二度、三度と広げねばならず不自由である。また、カッター等の器具を用いて横方向に切り開き開口する方法もあるが、この場合には、カッターを使用する危険と、カッターを準備する手間がかかっていた。
【０００３】
さらに、頂部のシール部分を十文字状に引っ張り、シール部分から紙容器を破壊して内容液を注ぎ出す等の方法もある。しかしながらこの方法は、切断器具は使用しないが開封強度がかなり強く、特に、アルミニウム箔やポリエチレンテレフタレートフィルムを含んだ層構成を有する紙容器の場合には、特に開封しにくく、開封強度が高いので開封時に内容液が飛びはねる恐れもあった。
【０００４】
【発明が解決しようとする課題】
本発明は、ゲーブルトップ型液体紙容器に充填されている高粘度の内容物を一度に大量に注ぎ出す場合に生ずる以上のような問題点に鑑みてなされたもので、高粘度の内容物を一度に大量に注ぎ出すことを可能にした開口部構造を提供することを課題とする。
【０００５】
【課題を解決するための手段】
本発明の請求項１の発明は、頂部シールを中心にして互いに向き合う傾斜パネルを有するゲーブルトップ型液体紙容器の一方の傾斜パネルに設けられる開口部構造であって、一方の傾斜パネルには、切り込みを設けて形成された開口開始部と、その開口方向に設けた開口誘導手段とが形成され、開口開始部の表側には、開口方向に向けて引っ張りテープが
熱融着され、
開口開始部と開口誘導手段の裏側にはそれぞれ裏貼りフィルムが熱融着され、前記開口開始部と開口誘導手段とは離間させて設けられていることを特徴とする液体紙容器の開口部構造である。
【０００６】
このように、一方の傾斜パネルに、切り込みを設けて形成された開口開始部と、その開口方向に設けた開口誘導手段とが形成され、開口開始部の表側には、開口方向に向けて引っ張りテープが熱融着され、開口開始部と開口誘導手段の裏側にはそれぞれ裏貼りフィルムが熱融着されているので、引っ張りテープを開口方向に引っ張ることにより、開口開始部に引き続き開口誘導手段により傾斜パネルの端の方まで開口することができる。
そして、開口開始部や開口誘導手段の裏側には裏貼りフィルムが熱融着されているので、内容液が切り込みを通して容器の外に漏れだすこともない。
【０００８】
また、開口開始部と開口誘導手段とは離間させて設けられているので、小さな裏貼りフィルムを利用して機能を持たせることができ、このために、カールし易いフィルムも裏貼りフィルムとして使用することができる。
【０００９】
また、請求項２の発明は、請求項１の発明において、前記開口開始部の開口開始点（先端）に口孔が穿設されていることを特徴とする液体紙容器の開口部構造である。
【００１０】
開口開始部の開口開始点（先端）に口孔が穿設されているので、引っ張りテープを引っ張ることにより、口孔がきっかけとなって開口開始部は切り欠きから容易に切ることができる。
【００１１】
また、請求項３の発明は、請求項１又は２の発明において、前記開口誘導手段は、連続した切り込み又はミシン目状の切り込みのいずれかであることを特徴とする液体紙容器の開口部構造である。
【００１２】
開口誘導手段が連続した切り込み又はミシン目状の切り込みであるので、紙容器を構成する紙でも層間剥離を起こすことなく容易に切断することができる。
【００１３】
また、請求項４の発明は、請求項１、２又は３の発明において、前記開口誘導手段は、開口方向に向かって開くハの字状に形成させることを特徴とする液体紙容器の開口部構造である。
【００１４】
このように、開口誘導手段を開口方向に向かって開くハの字状に形成させているので、引っ張りテープを引っ張って開口開始部から開口した傾斜パネルの開口幅が狭まってきても、再び広げることができる。
【００１５】
また、請求項５の発明は、請求項１、２、３又は４の発明において、前記開口開始部と開口誘導手段の裏側に熱融着される裏貼りフィルムは、丸い形状のフィルムであることを特徴とする液体紙容器の開口部構造である。
【００１６】
開口開始部と開口誘導手段の裏側に熱融着される裏貼りフィルムが、角のとれた丸い形状のフィルムであるので、薄い裏貼りフィルムを紙容器の傾斜パネルの裏面に熱融着する際、裏貼りフィルムがめくれることが少なくなり、歩留りが良くなる。
【００１７】
【発明の実施の形態】
本発明の液体紙容器の開口部構造を一実施形態に基づいて以下に詳細に説明する。
本発明の液体紙容器の開口部構造は、例えば、図１（ａ）、（ｂ）に示すように、頂部シールを中心にして互いに向き合う傾斜パネルを有するゲーブルトップ型液体紙容器（１）の一方の傾斜パネル（２）に設けられる開口部構造（１０）であり、一方の傾斜パネルには、切り込み（１１ａ）を設けて形成された開口開始部（１１）と、その開口方向に設けた開口誘導手段（１２）とが形成され、開口開始部（１１）の表側には、開口方向に向けて引っ張りテープ（１３）が熱融着され、切り込みと開口誘導手段の裏側にはそれぞれ裏貼りフィルム（１４）が熱融着されている。
【００１８】
開口開始部（１１）は、開口のきっかけとなるもので、一般的に傾斜パネル（２）の端縁近傍に切り込み（１１ａ）を設けて形成され、開口幅に合わせて、例えば、先端をＵ字状にして適宜の長さに形成されている。
開口開始部の先端に口孔（１５）を形成させることにより、開口開始がし易くなる。
【００１９】
傾斜パネルのもう一方の端縁近傍に、開口開始部（１１）から離間して開口誘導手段（１２）が形成されている。開口誘導手段は、傾斜パネルを開口開始部から引き裂いて開口して行く際、開口が先細りになって中断しないように開口を誘導するためのもので、連続した切り込みまたはミシン目状の切り込みにより形成されている。
連続した切り込みまたはミシン目状の切り込み以外の、例えば、半切れ線を用いた場合には、紙容器を構成する紙が層間剥離を起こした際に、思う通りに開口を誘導できないおそれがある。
【００２０】
また、上記目的のため、開口誘導手段（１２）は、開口方向に向かって開くハの字状に形成させることが好ましい。
【００２１】
開口開始部（１１）を形成させた傾斜パネル（２）の表側には、開口開始部の切り込み（１１ａ）を覆うように開口開始部をはみ出し、開口方向に向けて引っ張りテープ（１３）を熱融着させておく。
このことにより、開口開始部からの傾斜パネルの開口をやり易いものとしている。引っ張りテープは、ポリエチレン／アルミニウム箔／ポリエチレンテレフタレート、ポリエチレン／ナイロン／アルミニウム箔／ポリエチレンテレフタレート等の公知の積層材料を使用すれば良い。
【００２２】
開口開始部（１１）や開口誘導手段（１２）を形成させた傾斜パネル（２）の裏面には、開口開始部や開口誘導手段で設けた切り込みを覆う裏貼りフィルム（１４）が熱融着されている。
裏貼りフィルム（１４）は、開封時に破れないといけないので１２０μｍ程度の薄いフィルムのため、細長い形状の裏貼りフィルムにすると、傾斜パネルに熱融着させる際、端部が熱収縮によりめくれてしまい熱融着不良になりやすい。このため、裏貼りフィルムを円形とか楕円形あるいは角部を大きくアール状に切り落とした略正方形状のような角のない形状にし、大きさもできる限り小さくした方が歩留り（生産性）が良い。
【００２３】
このようにして一方の傾斜パネルに開口部構造を形成させたゲーブルトップ型液体紙容器の内容液の取り出し方について述べる。
図２（ａ）、（ｂ）に示すように、引っ張りテープ（１３）を掴み開口方向（図１では左方から右方）に引っ張ると、口孔（１５）がきっかけとなって、開口開始部（１１）が破れて傾斜パネル（２）は開口をはじめる。
引き続き引っ張ることにより、開口（１６）は、開口誘導手段（１２）にまでおよび、開口幅は従来の幅を保ったまま、開口誘導手段に設けた切り込みにしたがって幅広の開口（１６）が得られる。
紙容器を傾け、開口（１６）から内容液を注ぎ出す。開口（１６）が幅広で帯状に形成されるので、粘度の高い内容液に対しても一度に注ぎ出すことができる。
【００２４】
【発明の効果】
上記のように、本発明の開口部構造は、引っ張りテープを引っ張るのみで、幅広の帯状の開口が得られ、粘性の高い内容液に対しても、すばやく注ぎ出すことができる。
【図面の簡単な説明】
【図１】本発明の液体紙容器の開口部構造の一実施例を示す、（ａ）は平面説明図であり、（ｂ）は（ａ）のＡーＡ’線断面説明図である。
【図２】本発明の開口部構造を形成させた液体紙容器の一実施例の（ａ）は開口前の状態を示す、斜視説明図であり、（ｂ）は開口後の状態を示す、斜視説明図である。
【図３】従来の開口構造の一例を示す説明図である。
【符号の説明】
１‥‥ゲーブルトップ型液体紙容器
２‥‥傾斜パネル
１０‥‥開口部構造
１１‥‥開口開始部
１１ａ‥切り込み
１２‥‥開口誘導手段
１３‥‥引っ張りテープ
１４‥‥裏貼りフィルム
１５‥‥口孔
１６‥‥開口
【図１】
0004734732.tif 000002
【図２】
0004734732.tif 000003
【図３】
0004734732.tif 000004